(57)【要約】【課題】  この発明は、輝度レベルの差が大きい映像に係る残像を軽減した映像表示装置を提供することを目的としている。【解決手段】  第１部分と第２部分の輝度レベルの差が予め決められた所定の値よりも大きい映像を検出する輝度レベル差映像検出手段１０と、第１部分と第２部分の輝度レベルの差が大きい映像が表示される状態が、予め決められた時間変化ないか否かを判断する映像変化判断手段１０と、映像表示装置の電源がＯＦＦ状態であると判断された場合に、前記記憶部に記憶された、映像の第１部分と第２部分の輝度レベルに関する情報を用い、第１部分と第２部分の輝度レベルの大小関係が反対となる映像情報を生成する反対輝度レベル情報生成手段１０と、第１部分と第２部分の輝度レベルの大小関係が反対となる映像情報に応じて、パネル部の第１部分と第２部分の通電を行うパネル通電手段１０を備えるように構成している。【選択図】      図３
2008268799.tif 000002
【特許請求の範囲】
【請求項１】
映像信号を受信し、映像を映像表示装置に表示する映像表示装置において、
通電によって映像を表示するパネル部と、光を出力するバックライト部を備え、映像を表示する映像表示手段と、
映像信号を受信し、前記映像表示手段で表示可能な映像に変換して出力する映像出力手段と、
前記映像表示手段に表示される映像で、第１部分と第２部分の輝度レベルの差が予め決められた所定の値よりも大きい映像を検出する輝度レベル差映像検出手段と、
前記検出された第１部分と第２部分の輝度レベルの差が大きい映像が表示される状態が、予め決められた時間変化ないか否かを判断する映像変化判断手段と、
映像表示装置の電源がＯＦＦ状態であるか否かを判断する映像表示装置電源ＯＦＦ判断手段と、
映像表示装置の電源がＯＦＦ状態であると判断された場合に、前記映像の第１部分と第２部分の輝度レベルに関する情報を用い、第１部分と第２部分の輝度レベルの大小関係が反対となる映像情報を生成する反対輝度レベル情報生成手段と、
前記第１部分と第２部分の輝度レベルの大小関係が反対となる映像情報に応じて、前記パネル部の第１部分と第２部分の通電を行うパネル通電手段を備えることを特徴とする映像表示装置。
【請求項２】
前記映像表示装置の電源がＯＦＦ状態であると判断された場合に、前記バックライト電源をＯＦＦ、前記パネル電源をＯＦＦとすることを特徴とする請求項１に記載の映像表示装置。
【請求項３】
前記検出された第１部分と第２部分の輝度レベルの差が大きい映像が表示される状態が、予め決められた時間変化ないと判断された場合に、当該映像に係る第１部分と第２部分の輝度レベルに関する情報を記憶部へ記憶する輝度レベル情報記憶手段をさらに備えることを特徴とする請求項１または２に記載の映像表示装置。
【請求項４】
前記第１部分および第２部分とは異なる映像の第３部分を検出し、第３部分が検出された場合はハーフグレーデータに基づいて前記第３部分の通電を行うパネル通電手段をさらに備えることを特徴とする請求項１乃至３に記載の映像表示装置。
【請求項５】
前記パネル部の第１部分と第２部分の通電を行った後に前記パネル部および前記バックライト部の電源をＯＦＦ動作させることを特徴とする請求項１乃至４に記載の映像表示装置。
【請求項６】
映像信号を受信し、映像表示手段で表示可能な映像に変換して出力するステップと、
前記映像表示手段に表示される映像で、第１部分と第２部分の輝度レベルの差が予め決められた所定の値よりも大きい映像を検出するステップと、
前記検出された第１部分と第２部分の輝度レベルの差が大きい映像が表示される状態が、予め決められた時間変化ないか否かを判断するステップと、
映像表示装置の電源がＯＦＦ状態であるか否かを判断するステップと、
映像表示装置の電源がＯＦＦ状態であると判断された場合に、前記記憶部に記憶された、映像の第１部分と第２部分の輝度レベルに関する情報を用い、第１部分と第２部分の輝度レベルの大小関係が反対となる映像情報を生成するステップと、
前記第１部分と第２部分の輝度レベルの大小関係が反対となる映像情報に応じて、前記パネル部の第１部分と第２部分の通電を行うステップを備えることを特徴とする映像表示方法。
【発明の詳細な説明】
【技術分野】
【０００１】
この発明は、例えばテレビジョン放送等で放送される番組を表示する映像表示装置に関する。また、この発明は、映像表示手段に残る残像（映像表示手段に表示された映像の残像）を軽減することを目的とする映像表示装置に関する。
【背景技術】
【０００２】
近年では、液晶表示装置、ＥＬディスプレイ、プラズマディスプレイ等の映像表示装置が開発され、普及している。
このような映像表示装置においては、例えば静止画像のような動きの少ない画像で、輝度レベルの差が大きい映像を長時間表示すると、画面を切り替えた際に残像が残ることがある。そこで、映像表示装置に残る残像を軽減したいという要求があった。
【０００３】
特許文献１には、表示パネル１４、光シャッタ１５、および表示制御部１７を有し、画素電極と第１の駆動素子の出力部にメモリ機能を有するメモリ素子と、その出力を表示パネルの全ての画素において同時に各画素電極に表示信号を書き込む第２の駆動素子を具備させることにより、瞬時切り替え型の表示パネルに係る技術が開示されている。しかしながら、特許文献１に開示された技術では輝度レベルの差が大きい映像に係る残像を軽減するための具体的な開示がなされておらず、製品への応用という点で、まだ開示が十分ではないという問題があった。
【特許文献１】特開平６−１１０４０３号
【発明の開示】
【発明が解決しようとする課題】
【０００４】
そこで、この発明は上記事情を考慮してなされたもので、輝度レベルの差が大きい映像に係る残像を軽減した映像表示装置を提供することを目的としている。
【課題を解決するための手段】
【０００５】
この発明に係る映像表示装置は、通電によって映像を表示するパネル部と、光を出力するバックライト部を備え、映像を表示する映像表示手段と、映像信号を受信し、前記映像表示手段で表示可能な映像に変換して出力する映像出力手段と、前記映像表示手段に表示される映像で、第１部分と第２部分の輝度レベルの差が予め決められた所定の値よりも大きい映像を検出する輝度レベル差映像検出手段と、前記検出された第１部分と第２部分の輝度レベルの差が大きい映像が表示される状態が、予め決められた時間変化ないか否かを判断する映像変化判断手段と、映像表示装置の電源がＯＦＦ状態であるか否かを判断する映像表示装置電源ＯＦＦ判断手段と、映像表示装置の電源がＯＦＦ状態であると判断された場合に、前記記憶部に記憶された、映像の第１部分と第２部分の輝度レベルに関する情報を用い、第１部分と第２部分の輝度レベルの大小関係が反対となる映像情報を生成する反対輝度レベル情報生成手段と、前記第１部分と第２部分の輝度レベルの大小関係が反対となる映像情報に応じて、前記パネル部の第１部分と第２部分の通電を行うパネル通電手段を備えるように構成している。
【０００６】
また、この発明に係る映像表示方法は、映像信号を受信し、映像表示手段で表示可能な映像に変換して出力するステップと、前記映像表示手段に表示される映像で、第１部分と第２部分の輝度レベルの差が予め決められた所定の値よりも大きい映像を検出するステップと、前記検出された第１部分と第２部分の輝度レベルの差が大きい映像が表示される状態が、予め決められた時間変化ないか否かを判断するステップと、映像表示装置の電源がＯＦＦ状態であるか否かを判断するステップと、映像表示装置の電源がＯＦＦ状態であると判断された場合に、前記記憶部に記憶された、映像の第１部分と第２部分の輝度レベルに関する情報を用い、第１部分と第２部分の輝度レベルの大小関係が反対となる映像情報を生成するステップと、前記第１部分と第２部分の輝度レベルの大小関係が反対となる映像情報に応じて、前記パネル部の第１部分と第２部分の通電を行うステップを備えるように構成している。
【発明の効果】
【０００７】
上記のように構成することによって、輝度レベルの差が大きい映像に係る残像を軽減した映像表示装置を提供することが可能になるという効果がある。
【発明を実施するための最良の形態】
【０００８】
以下、この発明の実施の形態について図面を参照して詳細に説明する。
図１は、この発明の実施の形態に係る映像表示装置の構成を説明するブロック図である。
符号１は映像表示装置、符号２はバックライト制御部、符号３はレシーバ部、符号４はチューナ部、符号５は駆動信号生成部、符号６はバックライト部、符号７は映像表示部（液晶表示部）、符号１０はＣＰＵ、符号１２は比較変更部、符号１４はＰＷＭ周期の設定部、符号１５はＰＷＭ周期カウンタ、符号１６はＰＷＭパルス生成部、符号１７はヒストグラム演算部、符号１８はデューティ比生成部、符号１９はＰＷＭ周期数の設定部、符号２０はマスクパルス作成部である。
【０００９】
レシーバ部３は、デジタル地上波放送、デジタルＢＳ放送、デジタルＣＳ放送等を受信するチューナ部４を備えている。チューナ部４は受信した放送を映像信号に変換し、駆動信号生成部５へ出力する。
【００１０】
また、駆動信号生成部５は、例えばＤＶＤ装置等の映像信号出力装置に接続される。そして、チューナ部４やＤＶＤ装置等の映像信号出力装置から出力された映像音声信号を受信し、映像表示部（画像表示部）７へ出力するための映像信号処理を行なって、駆動信号（映像信号、垂直同期信号、水平同期信号）を生成する。画像表示部７はこの駆動信号（映像信号、垂直同期信号、水平同期信号）を受信し、映像を表示する。
【００１１】
バックライト制御部２は、駆動信号生成部５等から出力される垂直同期信号と、上記出力された映像信号からヒストグラムを取得し演算処理を行うヒストグラム演算部１７と、ヒストグラム演算部１７からのヒストグラム演算結果に基づいてＰＷＭパルス信号のデューティ比を決定するデューティ比決定部１８を備えている。
【００１２】
また、バックライト制御部２は、例えば外部（ＩＩＣレジスタ等）から回路に与えるＰＷＭ周期の設定値（例えば５０万カウント等）を設定するＰＷＭ周期の設定部１４と、駆動信号生成部３から供給される垂直同期信号を開始タイミングとして、クロック（例えば１５０ＭＨｚ等）でカウントすることでＰＷＭパルス信号の周期を作成するＰＷＭ周期カウンタ１５を備えている。
【００１３】
また、バックライト制御部２は、ＰＷＭ周期カウンタ１５からのＰＷＭパルス信号の周期とデューティ比決定部１８からのデューティ比に基づきＰＷＭパルス信号を生成するＰＷＭパルス生成部１６、マスク処理を行なうための構成としてＰＷＭ周期数の設定部１９、このＰＷＭ周期数とＰＷＭ周期カウンタ部１５からのカウント結果に基づいてマスクパルスを生成するマスクパルス作成部２０を備えている。このマスクパルス出力は、ＰＷＭパルス生成部１６に供給される。
【００１４】
この発明の実施の形態においては、通電によって映像を表示するパネル（画像表示部７）を備え、この画像表示部７の通電がＣＰＵ１０によって制御される。
ＣＰＵ１０は後述するように、記憶部（メモリ）を備えている。この記憶部（メモリ）は、フラッシュメモリ等の不揮発性メモリが好ましい。
そして、ＣＰＵ１０は映像表示手段に表示される映像で、第１部分と第２部分の輝度レベルの差が予め決められた所定の値よりも大きい映像が検出された場合は、第１部分と第２部分の輝度レベルの差が大きい映像が表示される状態が、予め決められた時間変化ないか否かを判断する（映像変化判断手段）。このとき、第１部分と第２部分の輝度レベルの差に関する情報を記憶部（メモリ）に記憶する。
【００１５】
またＣＰＵ１０は、映像表示装置の電源がＯＦＦ状態であるか否かを判断する（映像表示装置電源ＯＦＦ判断手段）。またＣＰＵ１０は、映像表示装置の電源がＯＦＦ状態であると判断された場合に、前記映像の第１部分と第２部分の輝度レベルに関する情報を用い、第１部分と第２部分の輝度レベルの大小関係が反対となる映像情報を生成する。
【００１６】
また、駆動信号生成部５はチューナ部４やＤＶＤ装置等から出力される映像信号を受信し、映像表示手段７で表示可能な映像に変換して出力する（映像出力手段）。ＣＰＵ１０は、映像表示手段７に表示される映像で、第１部分と第２部分の輝度レベルの差が予め決められた所定の値よりも大きい映像を検出する（輝度レベル差映像検出手段）。そして、検出された第１部分と第２部分の輝度レベルの差が大きい映像が表示される状態が、予め決められた時間変化ないか否かを判断する（映像変化判断手段）。
【００１７】
また、ＣＰＵ１０は、映像表示装置の電源がＯＦＦ状態であるか否かを判断する（映像表示装置電源ＯＦＦ判断手段）。そして、ＣＰＵ１０は、映像表示装置の電源がＯＦＦ状態であると判断した場合に、記憶部（メモリ）に記憶された、映像の第１部分と第２部分の輝度レベルに関する情報を用い、第１部分と第２部分の輝度レベルの大小関係が反対となる映像情報を生成する（反対輝度レベル情報生成手段）。また、第１部分と第２部分の輝度レベルの大小関係が反対となる映像情報に応じて、パネル部７の第１部分と第２部分の通電を行う（パネル通電手段）。
【００１８】
また、映像表示装置の電源がＯＦＦ状態であると判断された場合に、バックライト電源をＯＦＦ、パネル電源をＯＦＦとする。
また、検出された第１部分と第２部分の輝度レベルの差が大きい映像が表示される状態が、予め決められた時間変化ないと判断された場合に、当該映像に係る第１部分と第２部分の輝度レベルに関する情報を記憶部へ記憶する（輝度レベル情報記憶手段）。
【００１９】
また、第１部分および第２部分とは異なる映像の第３部分を検出し、第３部分が検出された場合はハーフグレーデータに基づいて前記第３部分の通電を行うパネル通電手段をさらに備えることも可能である。
【００２０】
また、パネル部の第１部分と第２部分の通電を行った後にパネル部７およびバックライト部６の電源をＯＦＦ動作させることも可能である。
図２はこの発明の実施の形態に係る映像表示装置の動作を示す図である。
図２（ａ）は映像表示装置において、例えば静止画像のような動きの少ない画像で、輝度レベルの差が大きい映像が長時間表示されている様子を示している。このとき、バックライト部６の電源はＯＮ、パネル部（映像表示部７）の電源はＯＮである。
【００２１】
図２（ｂ）はこの発明の実施の形態に係る映像表示装置において、画面を切り替えた際に残る残像を低減させる動作を説明する図である。
ここでは、映像表示装置１に印加される電源スイッチがＯＦＦ状態であるか否かがＣＰＵ１０によって判断される（映像表示装置電源ＯＦＦ判断手段）。そして、ＣＰＵ１０は、映像表示装置の電源スイッチがＯＦＦ状態であると判断した場合に、記憶部（メモリ）に記憶された映像の第１部分と第２部分の輝度レベルに関する情報を用い、第１部分と第２部分の輝度レベルの大小関係が反対となる映像情報を生成する（反対輝度レベル情報生成手段）。
【００２２】
そして、ＣＰＵ１０は、映像表示装置１に印加される電源スイッチはＯＦＦ状態であるが、バックライト部６の電源をＯＦＦ、パネル部（映像表示部７）の電源をＯＮと制御する。すなわち、このとき、パネル部（映像表示部７）は通電するが、表示が見えないようにバックライト部６は通電しない。また、上記生成された第１部分と第２部分の輝度レベルの大小関係が反対となる映像情報を用い、図２（ａ）に示す画像の残像を打ち消すように、パネル部（映像表示部７）に通電を行う。
【００２３】
尚、パネル（映像表示部７）のコントロール基板の機能としてオーバードライブ回路が知られている。この回路では前後の画像データを比較し画像を補間しており、画像補間にはオーバードライブ回路に構成されるそのメモリ（記憶部）を利用しても良い。
【００２４】
このとき、例えば、視聴のために映像表示装置１の電源がONとなっているとき、出画している情報をメモリにおいて10秒ごとに1フレームずつの画像を取り込んで蓄積し、3分以上同じ画像および輝度レベル50%以上である画像を蓄積した箇所を残像軽減の対象とする。
【００２５】
また、視聴中止のために映像表示装置の電源スイッチがOFFとなっている時に、残像軽減の対象箇所（第１部分および第２部分）には、蓄積したデータと逆のデータをコントロールICで生成し、メモリ（記憶部）に記憶する。また、メモリ（記憶部）に記憶された映像情報を用い、パネル７に出画する。その他の箇所（第３部分：第１部分および第２部分以外の部分）には、Half-Grayのデータを出画する。
【００２６】
図３は、この発明の実施の形態に係る映像表示装置に係る動作を説明するフローチャートである。
符号２００はここでの開始ステップである。続いて符合２０１を付したステップへ進む。
符号２０１はユーザによって映像表示装置１の電源スイッチがＯＮ操作され、バックライト部６およびパネル部６の電源がそれぞれＯＮとなるステップである。続いて符合２０２０を付したステップへ進む。
【００２７】
符号Ｓ２０２はパネル７に表示される画像で、第１部分と第２部分の輝度レベルを比較し、輝度レベルの差が大きい画像（例えば輝度レベル差が５０％以上）を検出するステップである。続いて符合Ｓ２０３を付したステップへ進む。
【００２８】
符号Ｓ２０３は、輝度レベルの差が大きい画像で、例えば静止画等の状態に変化がない画像において、予め決めた時間（例えば３分間）変化がないか否かを判断するステップである。上記状態に変化がない画像において、予め決めた時間（例えば３分間）変化がないと判断される場合は符号Ｓ２０４を付したステップへ進む（Ｙｅｓ）。上記状態に変化がない画像において、予め決めた時間（例えば３分間）変化がないと判断されない場合は符号Ｓ２０２を付したステップへ進み、上記処理を繰り返す（Ｎｏ）。
【００２９】
符号Ｓ２０４は上記検出された第１部分と第２部分の画像情報を記憶部（メモリ）へ記憶するステップである。続いて符合Ｓ２０５を付したステップへ進む。
符号Ｓ２０５は、映像表示装置１の電源スイッチがユーザ操作によってＯＦＦとなっているか否かを判断するステップである。映像表示装置１の電源スイッチがＯＦＦとなっていると判断される場合は符号Ｓ２０６を付したステップへ進む（Ｙｅｓ）。映像表示装置１の電源スイッチがＯＦＦとなっていると判断されない場合は符号Ｓ２０２を付したステップへ進み、上記処理を繰り返す（Ｎｏ）。
【００３０】
符号Ｓ２０６はＣＰＵ１０の制御によって、バックライト部６の電源をＯＦＦ、パネル部７の電源をＯＮにするステップである。続いて符合Ｓ２０７を付したステップへ進む。
【００３１】
符号Ｓ２０７はメモリ（記憶部）に記憶された映像情報（画像情報）を用い、第１部分と第２部分の輝度レベルの関係が、上記とは反対となる画像情報を生成するステップである。続いて符合Ｓ２０８を付したステップへ進む。
【００３２】
符号Ｓ２０８は生成された第１部分と第２部分の輝度レベルが、反対の関係の画像情報をメモリ（記憶部）に記憶するステップである。続いて符合Ｓ２０９を付したステップへ進む。
【００３３】
符号Ｓ２０９はメモリ（記憶部）に記憶された反対の関係の画像情報を用い、パネル７の第１部分と第２部分に相当する部分に通電（画像表示：ただしバックライト６電源はＯＦＦ）を行うステップである。続いて符合Ｓ２１０を付したステップへ進む。
【００３４】
符号Ｓ２１０は上記第１部分および第２部分以外のその他の箇所（第３部分）がある場合には、Half-Grayのデータの画像を通電（画像表示：ただしバックライト６電源はＯＦＦ）するステップである。続いて符合Ｓ２１１を付したステップへ進む。
【００３５】
符合Ｓ２１１はバックライト６電源をＯＦＦ、パネル７電源をＯＦＦとするステップである。続いて符合Ｓ２１２を付したステップへ進む。
符号２１２は終了ステップであり、ここでの処理は終了する。
上述したように、この発明は映像表示装置に係り、映像表示部に残る残像（映像表示手段に表示された映像の残像）を軽減することを目的としている。
そして、この発明の実施の形態に係る映像表示装置は、通電によって映像を表示するパネル部７と、光を出力するバックライト６部を備え、映像を表示する映像表示手段と、映像信号を受信し、前記映像表示手段で表示可能な映像に変換して出力する映像出力手段３と、前記映像表示手段に表示される映像で、第１部分と第２部分の輝度レベルの差が予め決められた所定の値よりも大きい映像を検出する輝度レベル差映像検出手段１０と、前記検出された第１部分と第２部分の輝度レベルの差が大きい映像が表示される状態が、予め決められた時間変化ないか否かを判断する映像変化判断手段１０と、映像表示装置の電源がＯＦＦ状態であるか否かを判断する映像表示装置電源ＯＦＦ判断手段１０と、映像表示装置の電源がＯＦＦ状態であると判断された場合に、前記記憶部に記憶された、映像の第１部分と第２部分の輝度レベルに関する情報を用い、第１部分と第２部分の輝度レベルの大小関係が反対となる映像情報を生成する反対輝度レベル情報生成手段１０と、前記第１部分と第２部分の輝度レベルの大小関係が反対となる映像情報に応じて、前記パネル部の第１部分と第２部分の通電を行うパネル通電手段１０を備えるように構成している。
【００３６】
また、この発明に係る映像表示方法は、映像信号を受信し、映像表示手段で表示可能な映像に変換して出力するステップと、前記映像表示手段に表示される映像で、第１部分と第２部分の輝度レベルの差が予め決められた所定の値よりも大きい映像を検出するステップと、前記検出された第１部分と第２部分の輝度レベルの差が大きい映像が表示される状態が、予め決められた時間変化ないか否かを判断するステップと、映像表示装置の電源がＯＦＦ状態であるか否かを判断するステップと、映像表示装置の電源がＯＦＦ状態であると判断された場合に、前記記憶部に記憶された、映像の第１部分と第２部分の輝度レベルに関する情報を用い、第１部分と第２部分の輝度レベルの大小関係が反対となる映像情報を生成するステップと、前記第１部分と第２部分の輝度レベルの大小関係が反対となる映像情報に応じて、前記パネル部の第１部分と第２部分の通電を行うステップを備えるように構成している。
【００３７】
上記のように構成することによって、輝度レベルの差が大きい映像に係る残像を軽減した映像表示装置を提供することが可能になるという効果がある。
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３８】
【図１】この発明の実施の形態に係る映像表示装置の構成を説明するブロック図。
【図２】この発明の実施の形態に係る映像表示装置の動作を示す図。
【図３】この発明の実施の形態に係る映像表示装置に係る動作を説明するフローチャート。
【符号の説明】
【００３９】
１…映像表示装置、２…バックライト制御部、３…レシーバ部、４…チューナ部、５…駆動信号生成部、６…バックライト部、７…映像表示部（液晶表示部）、１０…ＣＰＵ１２…比較変更部、１４…ＰＷＭ周期の設定部、１５…ＰＷＭ周期カウンタ、１６…ＰＷＭパルス生成部、１７…ヒストグラム演算部、１８…デューティ比生成部、１９…ＰＷＭ周期数の設定部、２０…マスクパルス作成部。
【図１】
2008268799.tif 000003
【図２】
2008268799.tif 000004
【図３】
2008268799.tif 000005